(57)【要約】  【課題】  レンズに結露が生じないようにするとともに、外部の細かな埃、塵等が鏡筒の内側（内部空間）に入り込むのを大幅に抑制することによって、信頼性の高いレンズユニットを提供すること。  【解決手段】  レンズユニット30は、内側にレンズ20を保持する鏡筒10と、鏡筒10の内側に保持されるレンズ20と、レンズ20の主面に当接してレンズ20の位置を固定する第１の環状部材１とを具備しているレンズユニット30であって、第１の環状部材１は、レンズ20と当接する端面に、周回溝２ｂと、周回溝２ｂと第１の環状部材１の外側とを連通させる外側連通溝２ａと、外側連通溝２ａと離れた位置に形成された、周回溝２ｂと第１の環状部材１の内側とを連通させる内側連通溝２ｃとが形成されている。【選択図】  図１
2010008862.tif 000002
【特許請求の範囲】
【請求項１】
内側にレンズを保持する鏡筒と、該鏡筒の内側に保持される前記レンズと、前記レンズの主面に当接して前記レンズの位置を固定する環状部材とを具備しているレンズユニットであって、前記環状部材は、前記レンズと当接する端面に、周回溝と、該周回溝と前記環状部材の外側とを連通させる外側連通溝と、該外側連通溝と離れた位置に形成された、前記周回溝と前記環状部材の内側とを連通させる内側連通溝とが形成されているレンズユニット。
【請求項２】
前記周回溝は、幅が前記外側連通溝の幅および前記内側連通溝の幅よりも小さい請求項１記載のレンズユニット。
【請求項３】
前記周回溝は、深さが前記外側連通溝の深さおよび前記内側連通溝の深さよりも深い請求項１または請求項２記載のレンズユニット。
【請求項４】
前記周回溝は、前記外側連通溝と前記内側連通溝との間の部位に幅広部が形成されている請求項１乃至請求項３のいずれかに記載のレンズユニット。
【請求項５】
前記周回溝は、折り曲げ部を有する請求項１乃至請求項４のいずれかに記載のレンズユニット。
【請求項６】
前記周回溝は、表面が粗面化されている請求項１乃至請求項５のいずれかに記載のレンズユニット。
【請求項７】
内側にレンズを保持する鏡筒と、該鏡筒の内側に保持される前記レンズと、前記レンズの主面に当接して前記レンズの位置を固定する環状部材とを具備しているレンズユニットであって、前記環状部材は、前記レンズと当接する端面に、前記環状部材の外側と内側とを連通させる螺旋状の周回溝が形成されているレンズユニット。
【請求項８】
前記環状部材は、螺旋状の前記周回溝と前記環状部材の外側とを連通させる外側連通溝と、螺旋状の前記周回溝と前記環状部材の内側とを連通させる内側連通溝とが形成されている請求項７記載のレンズユニット。
【請求項９】
前記外側連通溝および前記内側連通溝の少なくとも一方は、螺旋状の前記周回溝の複数の周回溝部に亘って形成されている請求項８記載のレンズユニット。
【発明の詳細な説明】
【技術分野】
【０００１】
本発明は、カメラモジュール、撮像モジュール等に用いられるレンズユニットに関する。
【背景技術】
【０００２】
例えば、特許文献１には、鏡筒内に複数のレンズを収容したレンズユニットにおいて、鏡筒内のレンズに挟まれた空間と鏡筒外部とを連通させる連通路を鏡筒に形成するとともに、鏡筒外部からの光が連通路を通してレンズの有効光学範囲に入らないようにしたレンズユニットが記載されている。
【０００３】
また、特許文献１に記載されたレンズユニットにおいては、鏡筒の小径部の内周面に、レンズのレンズ面及び他のレンズのレンズ面の間隔を規定するリング状のスペーサ部が形成され、このスペーサ部には、レンズ間の空間と鏡筒外部を連通させる連通路が形成されている。また、連通路は、小径部の開口部側からスペーサ部を軸Ｏと平行に貫通する直通孔と、スペーサ部においてレンズのレンズ面に当接する部分でリング状に形成された円周溝と、円周溝から上記の空間側に連なる縦溝とから構成されている。以上の構成により、連通路は、縦溝、円周溝及び直通孔を介して、上記の空間内の空気と鏡筒外部の外気をつなげている。
【０００４】
このような構成により、特許文献１に記載された発明は、レンズに結露が生じにくい等の効果が得られる。
【特許文献１】特開２００７−２１２６０１号公報
【発明の開示】
【発明が解決しようとする課題】
【０００５】
しかしながら、特許文献１に記載された、縦溝、円周溝及び直通孔から成る連通路は、円周溝の幅が直通孔の直径よりも大きいため、直通孔から入り込んだ外部の細かな埃、塵等がレンズ間の空間に侵入し易いという問題点がある。
【０００６】
本発明は、上記従来の問題点に鑑みて完成されたものであり、その目的は、レンズに結露が生じないようにするとともに、外部の細かな埃、塵等が鏡筒の内側（内部空間）に入り込むのを大幅に抑制することによって、信頼性の高いレンズユニットを提供することである。
【課題を解決するための手段】
【０００７】
本発明のレンズユニットは、内側にレンズを保持する鏡筒と、該鏡筒の内側に保持される前記レンズと、前記レンズの主面に当接して前記レンズの位置を固定する環状部材とを具備しているレンズユニットであって、前記環状部材は、前記レンズと当接する端面に、周回溝と、該周回溝と前記環状部材の外側とを連通させる外側連通溝と、該外側連通溝と離れた位置に形成された、前記周回溝と前記環状部材の内側とを連通させる内側連通溝とが形成されているものである。
【０００８】
また、本発明のレンズユニットは好ましくは、前記周回溝は、幅が前記外側連通溝の幅および前記内側連通溝の幅よりも小さい。
【０００９】
また、本発明のレンズユニットは好ましくは、前記周回溝は、深さが前記外側連通溝の深さおよび前記内側連通溝の深さよりも深い。
【００１０】
また、本発明のレンズユニットは好ましくは、前記周回溝は、前記外側連通溝と前記内側連通溝との間の部位に幅広部が形成されている。
【００１１】
また、本発明のレンズユニットは好ましくは、前記周回溝は、折り曲げ部を有する。
【００１２】
また、本発明のレンズユニットは好ましくは、前記周回溝は、表面が粗面化されている。
【００１３】
本発明のレンズユニットは、内側にレンズを保持する鏡筒と、該鏡筒の内側に保持される前記レンズと、前記レンズの主面に当接して前記レンズの位置を固定する環状部材とを具備しているレンズユニットであって、前記環状部材は、前記レンズと当接する端面に、前記環状部材の外側と内側とを連通させる螺旋状の周回溝が形成されているものである。
【００１４】
また、本発明のレンズユニットは好ましくは、前記環状部材は、螺旋状の前記周回溝と前記環状部材の外側とを連通させる外側連通溝と、螺旋状の前記周回溝と前記環状部材の内側とを連通させる内側連通溝とが形成されているものである。
【００１５】
また、本発明のレンズユニットは好ましくは、前記外側連通溝および前記内側連通溝の少なくとも一方は、螺旋状の前記周回溝の複数の周回溝部に亘って形成されているものである。
【発明の効果】
【００１６】
本発明のレンズユニットは、内側にレンズを保持する鏡筒と、鏡筒の内側に保持されるレンズと、レンズの主面に当接してレンズの位置を固定する環状部材とを具備しているレンズユニットであって、環状部材は、レンズと当接する端面に、周回溝と、周回溝と環状部材の外側とを連通させる外側連通溝と、外側連通溝と離れた位置に形成された、周回溝と環状部材の内側とを連通させる内側連通溝とが形成されていることから、鏡筒とレンズの内側の空間（内部空間）と鏡筒の外部の空間とを連通させることができるので、レンズの主面に結露が生じることを有効に抑制することができる。また、外側連通溝と内側連通溝とは、互いに周回溝の離れた位置にあるため、外側連通溝から外部の細かな埃、塵等が入り込んでも、鏡筒の内部空間に入り込むのを大幅に抑制することができる。その結果、信頼性の高いレンズユニットが得られる。
【００１７】
また、本発明のレンズユニットは好ましくは、周回溝は、幅が外側連通溝の幅および内側連通溝の幅よりも小さいことから、細かな埃、塵等が周回溝を通過しにくくなるため、細かな埃、塵等が鏡筒の内部空間に入り込むのをさらに抑制することができる。
【００１８】
また、本発明のレンズユニットは好ましくは、周回溝は、深さが外側連通溝の深さおよび内側連通溝の深さよりも深いことから、周回溝の幅を大きくせずに周回溝の容積を大きくすることができるため、細かな埃、塵等の通過経路が長くなり、細かな埃、塵等が周回溝を通過しにくくなるため、細かな埃、塵等が鏡筒の内部空間に入り込むのをさらに抑制することができる。
【００１９】
また、本発明のレンズユニットは好ましくは、周回溝は、外側連通溝と内側連通溝との間の部位に幅広部が形成されていることから、周回溝を通過しようとする細かな埃、塵等が幅広部に捉えられて溜まり、細かな埃、塵等が鏡筒の内部空間に入り込むのをさらに抑制することができる。
【００２０】
また、本発明のレンズユニットは好ましくは、周回溝は、折り曲げ部を有することから、細かな埃、塵等の通過経路が長くなり、細かな埃、塵等が鏡筒の内部空間に入り込むのをさらに抑制することができる。
【００２１】
また、本発明のレンズユニットは好ましくは、周回溝は、表面が粗面化されていることから、周回溝を通過しようとする細かな埃、塵等が周回溝の表面の凹凸に捉えられるため、細かな埃、塵等が鏡筒の内部空間に入り込むのをさらに抑制することができる。
【００２２】
本発明のレンズユニットは、内側にレンズを保持する鏡筒と、鏡筒の内側に保持されるレンズと、レンズの主面に当接してレンズの位置を固定する環状部材とを具備しているレンズユニットであって、環状部材は、レンズと当接する端面に、環状部材の外側と内側とを連通させる螺旋状の周回溝が形成されていることから、周回溝を通過しようとする細かな埃、塵等の通過経路が格段に長くなり、細かな埃、塵等が鏡筒の内部空間に入り込むのをきわめて有効に抑制することができる。また、螺旋状の周回溝は幅がきわめて小さくなるため、その点でも細かな埃、塵等の周回溝の通過をきわめて困難にする。
【００２３】
また、本発明のレンズユニットは好ましくは、環状部材は、螺旋状の周回溝と環状部材の外側とを連通させる外側連通溝と、螺旋状の周回溝と環状部材の内側とを連通させる内側連通溝とが形成されていることから、螺旋状の周回溝の通気性が低下し過ぎることがないように螺旋状の周回溝の通気性を制御することができる。
【００２４】
また、本発明のレンズユニットは好ましくは、外側連通溝および内側連通溝の少なくとも一方は、螺旋状の周回溝の複数の周回溝部に亘って形成されていることから、螺旋状の周回溝の通気性が低下し過ぎることがないように螺旋状の周回溝の通気性を制御することがより容易になる。
【発明を実施するための最良の形態】
【００２５】
本実施の形態のレンズユニットについて、以下に添付図面を参照しつつ詳細に説明する。
【００２６】
図１〜図４は本実施の形態のレンズユニット30を示すものであり、これらの図において、１は環状部材、２ａは外側連通溝、２ｂは周回溝、２ｃは内側連通溝、３ａは外側連通溝、３ｂは周回溝、３ｃは内側連通溝、４は螺旋状の周回溝である。また、10は鏡筒、11はレンズ保持具、１は第１の環状部材、13は第２の環状部材、14は第３の環状部材、20は第１のレンズ、21は第２のレンズ、22は第３のレンズ、23は第４のレンズである。
【００２７】
本実施の形態のレンズユニット30は、内側にレンズ20を保持する鏡筒10と、鏡筒10の内側に保持されるレンズ20と、レンズ20の主面に当接してレンズ20の位置を固定する第１の環状部材１とを具備しているレンズユニット30であって、第１の環状部材１は、レンズ20と当接する端面に、周回溝２ｂと、周回溝２ｂと第１の環状部材１の外側とを連通させる外側連通溝２ａと、外側連通溝２ａと離れた位置に形成された、周回溝２ｂと第１の環状部材１の内側とを連通させる内側連通溝２ｃとが形成されている。
【００２８】
図４は本実施の形態のレンズユニット30の全体構成を示すものである。図４に示すように、円筒状、角筒状等の形状を有する鏡筒10の内側には、第１のレンズ20、第２のレンズ21、第３のレンズ22、第４のレンズ23が、それらの光軸が合致するように、位置決めされて保持され固定されている。第１のレンズ20、第２のレンズ21、第３のレンズ22、第４のレンズ23が位置決めおよび固定は、第１の環状部材１、第２の環状部材13、第３の環状部材14をレンズ間に設置することによって行われる。
【００２９】
また、レンズ保持具11は鏡筒１０の第１のレンズ20の側に設けられている。例えば、外周部に立設された周回壁部を有する蓋状のレンズ保持具11は、周回壁部の内面に突起が形成されており、その突起が、鏡筒10の外面の第１のレンズ20の側に形成された溝に係止されることによって、鏡筒10に固定される。または、レンズ保持具11は、周回壁部の内面に螺子切部が形成されており、その螺子切部が、鏡筒10の外面の第１のレンズ20の側に形成された螺子切部に螺子止めされることによって、鏡筒10に固定される。
【００３０】
鏡筒10、第１の環状部材１、第２の環状部材13、第３の環状部材14、およびレンズ保持具11は、例えば、アルミニウム等の金属あるいはポリカーボネイト等のプラスチックなどから成る。
【００３１】
第１のレンズ20、第２のレンズ21、第３のレンズ22、および第４のレンズ23は、ガラス、プラスチック等の透光性材料から成る。
【００３２】
図１（ａ），（ｂ）は、レンズユニットの第１の実施の形態を示すものであり、円環状の第１の環状部材１の第１のレンズ20と当接する端面に、周回溝２ｂと、周回溝２ｂと環状部材１の外側とを連通させる外側連通溝２ａと、外側連通溝２ａと離れた位置に形成された、周回溝２ｂと環状部材１の内側とを連通させる内側連通溝２ｃとが形成されている。そして、周回溝２ｂの幅が外側連通溝２ａの幅および内側連通溝２ｃの幅よりも小さい。この場合、周回溝２ｂは、幅が外側連通溝２ａの幅および内側連通溝２ｃの幅よりも小さいことから、細かな埃、塵等が周回溝２ｂを通過しにくくなるため、細かな埃、塵等が鏡筒10の内部空間に入り込むのをさらに抑制することができる。
【００３３】
外側連通溝２ａおよび内側連通溝２ｃの幅はそれぞれ、好ましくは200〜300μｍ程度であり、この幅の範囲内とすることにより、円筒状の鏡筒10の内部空間と外部空間との通気性を確保することができる。また、外側連通溝２ａおよび内側連通溝２ｃの深さはそれぞれ、好ましくは５〜10μｍ程度であり、この幅の範囲内とすることにより、鏡筒10の内部空間と外部空間との通気性を確保することができる。
【００３４】
周回溝２ｂの幅は、好ましくは50〜100μｍ程度であり、この幅の範囲内とすることにより、鏡筒10の内部空間と外部空間との通気性を確保するとともに、周回溝２ｂを通過しようとする細かな埃、塵等が通過し難いようにすることができる。
【００３５】
内側連通溝２ｃは、円環状の第１の環状部材１の中心に対する角度で45°の角度でもって、外側連通溝２ａと離れた位置に形成されている。外側連通溝２ａと内側連通溝２ｃとの離間する角度は45°に限らず、20°〜70°程度の範囲で設定できる。この程度の範囲内とすることにより、周回溝２ｂを通過しようとする細かな埃、塵等がより通過し難いようにすることができる。また、外側連通溝２ａと内側連通溝２ｃとの離間する距離は、1.7ｍｍ〜６ｍｍ程度の範囲で設定できる。この程度の範囲内とすることにより、周回溝２ｂを通過しようとする細かな埃、塵等がより通過し難いようにすることができる。
【００３６】
図２（ａ），（ｂ）は、レンズユニットの第２の実施の形態を示すものであり、周回溝３ｂは、深さが外側連通溝３ａの深さおよび内側連通溝３ｃの深さよりも深い。これにより、周回溝３ｂの幅を大きくせずに周回溝３ｂの容積を大きくすることができるため、細かな埃、塵等の通過経路が長くなり、細かな埃、塵等が周回溝３ｂを通過しにくくなるため、細かな埃、塵等が鏡筒10の内部空間に入り込むのをさらに抑制することができる。
【００３７】
例えば、周回溝３ｂの深さは好ましくは、外側連通溝３ａの深さおよび内側連通溝３ｃの深さよりも10μｍ〜20μｍ程度深い。この程度の範囲内とすることにより、周回溝２ｂを通過しようとする細かな埃、塵等がより通過し難いようにすることができる。
【００３８】
またこの場合、周回溝３ｂの深さを、外側連通溝３ａの深さおよび内側連通溝３ｃの深さよりも部分的に深くすることもできる。周回溝３ｂの部分的に深くなっている箇所で細かな埃、塵等を捉えて溜めることができ、細かな埃、塵等がより通過し難いようにすることができる。
【００３９】
また、第１、第２の実施の形態のレンズユニットは、周回溝２ｂ，３ｂは、外側連通溝２ａ，３ａと内側連通溝２ｃ，３ｃとの間の部位に幅広部が形成されていることが好ましい。この場合、周回溝２ｂ，３ｂを通過しようとする細かな埃、塵等が幅広部に捉えられて溜まり、細かな埃、塵等が鏡筒10の内部空間に入り込むのをさらに抑制することができる。
【００４０】
幅広部は、平面視における形状が四角形状であることがよい。この場合、周回溝２ｂ，３ｂを通過しようとする細かな埃、塵等が幅広部に捉えられて溜まるという効果が高まる。
【００４１】
また、第１、第２の実施の形態のレンズユニットは、周回溝２ｂ，３ｂは、折り曲げ部を有することが好ましい。この場合、細かな埃、塵等の通過経路が長くなり、細かな埃、塵等が鏡筒10の内部空間に入り込むのをさらに抑制することができる。
【００４２】
折り曲げ部は、平面視における形状がジグザグ状であることがよい。この場合、細かな埃、塵等の通過経路が格段に長くなり、細かな埃、塵等が鏡筒10の内部空間に入り込むのをさらに抑制することができる。
【００４３】
また、第１、第２の実施の形態のレンズユニットは、周回溝２ｂ，３ｂは、表面が粗面化されていることが好ましい。この場合、周回溝２ｂ，３ｂを通過しようとする細かな埃、塵等が周回溝２ｂ，３ｂの表面の凹凸に捉えられるため、細かな埃、塵等が鏡筒10の内部空間に入り込むのをさらに抑制することができる。
【００４４】
粗面化された周回溝２ｂ，３ｂの表面は、算術平均粗さが0.5μｍ〜１μｍ程度であることがよい。この程度の範囲内とすることにより、周回溝２ｂ，３ｂを通過しようとする細かな埃、塵等が周回溝２ｂ，３ｂの表面の凹凸に捉えられるという効果が高まる。
【００４５】
図３（ａ），（ｂ）は第３の実施の形態のレンズユニット30を示すものであり、レンズユニット30は、内側にレンズ20を保持する鏡筒10と、鏡筒10の内側に保持されるレンズ20と、レンズ20の主面に当接してレンズ20の位置を固定する環状部材１とを具備しているレンズユニット30であって、環状部材１は、レンズ20と当接する端面に、環状部材１の外側と内側とを連通させる螺旋状の周回溝４が形成されている。
【００４６】
この構成により、周回溝４を通過しようとする細かな埃、塵等の通過経路が格段に長くなり、細かな埃、塵等が鏡筒10の内部空間に入り込むのをきわめて有効に抑制することができる。また、螺旋状の周回溝４は幅がきわめて小さくなるため、その点でも細かな埃、塵等の周回溝４の通過をきわめて困難にする。
【００４７】
螺旋状の周回溝４の幅は50〜100μｍ程度がよい。この程度の範囲内とすることにより、鏡筒10の内部空間と外部空間との通気性を確保するとともに、細かな埃、塵等が周回溝４を通過することを困難なものとすることができる。
【００４８】
図５（ａ），（ｂ）は第４の実施の形態のレンズユニット30を示すものであり、環状部材１は、螺旋状の周回溝４と環状部材１の外側とを連通させる外側連通溝４ａと、螺旋状の周回溝４と環状部材１の内側とを連通させる内側連通溝４ｂとが形成されている。この場合、螺旋状の周回溝４の通気性が低下し過ぎることがないように螺旋状の周回溝４の通気性を制御することができる。
【００４９】
またこの場合、外側連通溝４ａと内側連通溝４ｂとは、必ずしも離れている必要はなく、同じ位置（径方向において同じ位置）に形成されていてもよい。それは、外側連通溝４ａと内側連通溝４ｂとは、螺旋状の周回溝４を介しており、その分通気経路が長くなっているからである。
【００５０】
図６（ａ），（ｂ）は第５の実施の形態のレンズユニット30を示すものであり、外側連通溝４ａおよび内側連通溝４ｂの少なくとも一方は、螺旋状の周回溝４の複数の周回溝部に亘って形成されている。この場合、螺旋状の周回溝４の通気性が低下し過ぎることがないように螺旋状の周回溝４の通気性を制御することがより容易になる。また、通気経路が複雑になるため、周回溝４を通過しようとする細かな埃、塵等が鏡筒10の内部空間に入り込むのをより有効に抑制することができる。
【００５１】
本実施の形態のレンズユニット30において、鏡筒10の内部空間と外部空間との通気性は、空気の流通量が27〜40ｍｍ3／分程度であればよい。この程度の範囲内とすることにより、レンズ20の外部空間と内部空間との温度差を２〜３分程度で解消することができ、レンズ20の内部空間側の主面に結露が生じることを効果的に抑制することができる。
【００５２】
また、レンズの光学特性に影響を及ぼす光量は約97％であり、それによると問題となる埃、塵の粒径は約0.8ｍｍ（約800μｍ）となる。本実施の形態の上記の構成の場合、鏡筒10の内部空間に侵入することのできる埃、塵等の粒径は10μｍ程度以下である。従って、本実施の形態のように外側連通溝と内側連通路の間に周回溝を設けたことにより、埃、塵の鏡筒10の内部空間への侵入、堆積による光学性能の劣化を有効に防止することができる。
【００５３】
また、本実施の形態のレンズユニット30において、外側連通溝２ａ，３ａ、内側連通溝２ｃ，３ｃ、および周回溝２ｂ，３ｂ，４は、液状の樹脂を金型等で成型する成型法等によって、第１の環状部材１を製造する際に形成できる。
【００５４】
また、外側連通溝２ａ，３ａ、内側連通溝２ｃ，３ｃ、および周回溝２ｂ，３ｂ，４は、第２の環状部材13、第３の環状部材14に形成してもよい。
【００５５】
本実施の形態のレンズユニット30は、車載用のカメラモジュール、車載用の撮像モジュール、パーソナルコンピュータ等に設置される通信用のカメラモジュール、同通信用の撮像モジュール、携帯電話等の携帯通信機器に設置される通信用のカメラモジュール、同通信用の撮像モジュールなどに適用できる。
【実施例】
【００５６】
本実施の形態のレンズユニットの実施例について以下に説明する。
【００５７】
図１、図４の構成の全体が円筒状のレンズユニット30を以下のようにして作製した。外径11ｍｍ、内径９ｍｍで、アルミから成る円環状の環状部材１と、直径14ｍｍのガラスから成る第１のレンズ20を有するレンズユニット30を、図４の構成として組み立てた。
【００５８】
環状部材１の第１のレンズ20側の端面には、幅200μｍ、長さ100μｍ、深さ５μｍの外側連通溝２ａと、幅200μｍ、深さ５μｍの周回溝２ｂと、幅200μｍ、長さ100μｍ、深さ５μｍの内側連通溝２ｃとを形成した。
【００５９】
外側連通溝２ａと内側連通溝２ｃとの間隔は、円環状の環状部材１の中心に対する角度で45°離れたものとした。
【００６０】
このレンズユニット30について、高温高湿85℃,85％（相対湿度）から常温（20℃）に急冷したときの結露の発生状態を観察した。
【００６１】
その結果、結露は観察されず、埃による光学性能の劣化は観察されなかった。
【００６２】
比較例として、外側連通溝２ａと内側連通溝２ｃとの間に間隔がない本実施例と同様の構成のレンズユニットを作製した。比較例のレンズユニットは、埃による光学性能の劣化が観察された。
【００６３】
また、図２のように周回溝３ｂの深さを外側連通溝３ａの深さおよび内側連通溝３ｃの深さよりも深くした円環状の環状部材１を用い、他の構成は上記実施例と同様の構成とした場合、また、図３、図５、図６のように螺旋状の周回溝４を形成し、他の構成は上記実施例と同様の構成とした場合にも、上記実施例と同様の結果が得られた。
【図面の簡単な説明】
【００６４】
【図１】（ａ）は第１の実施の形態のレンズユニットにおける環状部材の正面図、（ｂ）は（ａ）のＡ−Ａ線における断面図である。
【図２】（ａ）は第２の実施の形態のレンズユニットにおける環状部材の正面図、（ｂ）は（ａ）のＢ−Ｂ線における断面図である。
【図３】（ａ）は第３の実施の形態のレンズユニットにおける環状部材の正面図、（ｂ）は（ａ）のＣ−Ｃ線における断面図である。
【図４】本実施の形態のレンズユニットの断面図である。
【図５】（ａ）は第４の実施の形態のレンズユニットにおける環状部材の正面図、（ｂ）は（ａ）のＤ−Ｄ線における断面図である。
【図６】（ａ）は第５の実施の形態のレンズユニットにおける環状部材の正面図、（ｂ）は（ａ）のＥ−Ｅ線における断面図である。
【符号の説明】
【００６５】
１：第１の環状部材
２ａ，３ａ：外側連通溝
２ｂ，３ｂ：周回溝
２ｃ，３ｃ：内側連通溝
４：螺旋状の周回溝
10：鏡筒
20：第１のレンズ
【図１】
2010008862.tif 000003
【図２】
2010008862.tif 000004
【図３】
2010008862.tif 000005
【図４】
2010008862.tif 000006
【図５】
2010008862.tif 000007
【図６】
2010008862.tif 000008